(57)【特許請求の範囲】
【請求項１】
中心に配置されたボスを有するハウジングと、
一体に固着された一方クラッチを含んでいる巻取りドラムを中心に配置して有するスプールと、
前記ボスに固着された主軸と、
前記主軸の中心部を包囲し、この主軸の中心部に接触しているスリーブと、
前記スプールを前記ハウジングに組み立てた時、前記スリーブが前記一方クラッチ内に嵌着され、前記スリーブがこの一方クラッチによって一方向にのみ回転できるよう前記スプールを前記ハウジングに組み立てるための第１手段と、
前記主軸と前記スリーブとの間の摩擦力が最大である時、前記スプールは前記ハウジングに対し相対的に一方向のみに回転することができ、前記摩擦力が減少すると、前記スプールは一層自由にいずれの方向にも回転することができるように前記摩擦力を調整する第２手段とを具え、
前記ボスはその中心に貫通して形成されたボス貫通孔を有し、前記主軸は更にこの主軸の外側円筒面に、この主軸の後端から前方に形成されたねじを有し、前記主軸を前記ボス貫通孔に挿入し、前記ねじの周りに嵌着されて前記ボスの後面に固着されたナットによって、前記ボス貫通孔に挿入された前記主軸を固着保持し、
前記第２手段は調整ノブと、複数個のプランジャとを具え、前記主軸は更に前記ネックの後方の中心部に肩部を具え、前記スリーブをこの肩部と、前記ボスの前面との間に配置し、前記ナットの後方の前記ねじの後部にこのねじの周りに前記調整ノブを嵌着し、前記ボスに貫通した前記プランジャを複数個のプランジャばねの押圧力によって後方に押圧するよう構成し、前記調整ノブを前記ねじに沿って第１回転方向に回転した時、前記スリーブと、前記肩部との間の摩擦力を増大するよう前記調整ノブは前記プランジャによって前記スリーブを押圧し、前記調整ノブを前記ねじに沿って第２回転方向に回転した時、前記摩擦力を減少させるよう前記プランジャばねによって前記プランジャを戻すように押圧するよう構成したことを特徴とする釣り用リール。
【請求項２】
前記第１手段は組立ピンと、回転させる押圧力を前記組立ピンに加える組立ピンばねと、前記主軸の前端付近に形成された掛合溝とを具え、前記組立ピンが前記掛合溝に掛合している時は、前記スプールは前記ハウジングに組み立てられており、前記ピンを前記掛合溝から離脱させた時、前記スプールを前記ハウジングから分離できるようにした請求項１の釣り用リール。
【請求項３】
前記主軸はその前端に配置されたヘッドと、このヘッドの後方に前記掛合溝を形成しているネックとを具え、前記組立ピンはカムの形状の心部と、この心部から外方に延びるレバーと、このレバーの中心部の一側に形成されたフックとを有し、前記スプールを前記ハウジングに組み立てた時、前記主軸の前記ヘッド、及び前記ネックは前記スプールの前記巻取りドラムを完全に通過しており、前記レバーを第１回動方向に回動した時、前記フックが前記ネックから離脱し、前記レバーを釈放した時、前記第１回動方向の反対方向である第２回動方向に前記組立ピンばねが前記レバーを回動させて、前記フックを前記ネックに掛合させるよう構成した請求項２に記載の釣り用リール。
【請求項４】
前記第１手段は更にドーム形状の天井と、この天井の周囲に一体に連結された円筒側壁とを有するキャップを具え、このキャップの前記円筒側壁の一部を切除してゲートを形成し、前記巻取りドラムの前面に設けた枢着ピンの周りに回動するよう前記組立ピンを設置し、前記ゲートを通して前記キャップの外に前記レバーを突出させ、前記組立ピンばねを前記キャップの前記円筒側壁と、前記心部との間に保持するよう構成した請求項３に記載の釣り用リール。
【請求項５】
前記フックは前記レバーから突出する２個の指片と、これ等指片の間の半円形円周部とを具え、前記２個の指片と、前記半円形円周部とが前記ネックの少なくとも半分を包囲して、前記フックが前記ネックから離脱するのを防止するよう構成した請求項３に記載の釣り用リール。
【請求項６】
前記肩部と、前記スリーブとの間の摩擦力の伝動される量を増大するよう前記肩部と、前記スリーブとの間に第１座金を介挿した請求項１に記載の釣り用リール。
【請求項７】
前記スリーブは主軸の中心部を包囲している円筒管と、この円筒管の後端から半径方向外方に突出しこの円筒管に一体に連結されたフランジとを具え、前記フランジと、前記ボスの前面との間に環状ディスク板と、第２座金とを介挿し、この環状ディスク板と、第２座金とによって前記ボスと、前記プランジャとが前記フランジ上で摺動するのを防止する請求項１に記載の釣り用リール。
【請求項８】
前記プランジャと、前記調整ノブの内面との間に第３座金と、波形座金と、第４座金とを一連に配置し、調整ノブを締め付けた時、この調整ノブから前記プランジャに軸線方向に伝わる力を増大するよう前記波形座金が前記ハウジングの軸線方向に弾性的に撓むよう構成した請求項1に記載の釣り用リール。
【請求項９】
前記ボスはこのボスの後面の中心に形成された第１凹所と、前記ボスの後面に前記第１凹所の外側に互いに直径的に対向して形成された２個の第１止めピン孔とを有し、各前記第１止めピン孔には第１止めピンばねと、この第１止めピンばねの押圧力によって後方に押圧される第１止めピンとを収容し、前記調整ノブはその前面に環状に配置されて形成された複数個の第１窪みを有する請求項1に記載の釣り用リール。
【請求項１０】
前記調整ノブはその後面の中心に形成された第２凹所を有し、この第２凹所には前記ねじの後端にこのねじの周りに嵌着されたストッパ座金を収容し、このストッパ座金はリテーナによってその位置に固着保持されており、このストッパ座金によって前記主軸の軸線方向の前記調整ノブの運動の範囲を限定している請求項１に記載の釣り用リール。
【請求項１１】
前面に環状に配置されて形成された複数個の第２窪みを有する環状索引板を前記ボスの前面の周縁部に固着し、前記巻取りドラムにはその後面に形成された第２止めピン孔を設け、各前記第２止めピン孔には第２止めピンばねと、この第２止めピンばねの押圧力によって後方に押圧される第２止めピンとを収容し、前記ハウジングと、前記スプールとを相互に組み立てた時、前記第２止めピンが前記第２窪みに掛合するよう構成した請求項１に記載の釣り用リール。
【発明の詳細な説明】
【０００１】
技術分野
本発明は釣具、また特に、スプールをハウジングに容易に、確実に、組み立てることができ、組み立てた後は、スプールがハウジングから不随意に分離することがなく、主軸をハウジングに対し相対的に動かすことなく、一方向へのスプールの回転を制動することができる釣り用スプールに関するものである。
【０００２】
背景技術
釣り用リールは釣糸を巻き付けるための良く知られた器具である。一般に、通常の釣り用リールは釣糸を巻き付けるスプールと、このスプールを回転可能に支持するハウジングとを有する。
【０００３】
釣り用リールの構造特性を種々に改良するようにした従来の釣り用リールには多くの種類がある。例えば、Ament に与えられた米国特許第5590847 号は釣糸を保管し、調整自在に繰り出す目的の調整自在の制動装置を有する蚊鉤リールを開示している。しかし、Ament の釣り用リールは別個の制動板を必要とし、そのため、釣り用リールの全体の容積が大きくなると共に、制動板が主ハウジングと、スプールとの間に介挿されているため、故障し易い欠点がある。更に、Ament の釣り用リールでは、スプールが主ハウジングから不随意に分離することがあり、しかも、制動装置を調整中に、中心軸を回転し、前後に動かすから、中心軸に関連する種々の部片が比較的大きな摩擦力を受ける欠点がある。
【０００４】
Bushnel 等に与えられた米国特許第5615840 号は牽引システムを有する蚊鉤リールを開示している。このBushnel 等の釣り用リールもAment の釣り用リールの問題点に類似する問題点を有する。更に、Bushnel 等の釣り用リールは製作が非常に困難で、製造費用を増大せしめる欠点がある。これは、あまり優れた牽引作用を行わないドラグスプレッダ、ドラグエキスパンダ、平歯車等のような非常に複雑な構造を有しているためである。
【０００５】
上述の釣り用リールはそれぞれの目的、及び要件を満たしてはいるが、本願人の知る限り、上述の米国特許、及びその他の先行技術はスプールを容易に、確実にハウジングに組み立てることができ、組み立てた後は、スプールがハウジングから不随意に分離することがなく、主軸をハウジングに対し、相対的に動かすことなく、一方向へのスプールの回転を制動することができる釣り用スプールを開示していない。
【０００６】
発明の開示
先行技術の既知の形式の釣り用リールの上述の本来の欠点にかんがみ、本発明は先行技術を利用し得る新規な釣り用リールを提供する。そこで、次に一層詳細に説明する本発明の一般的な目的は上述の先行技術の釣り用リールの多くの利点を有する釣り用リールであって、しかも先行技術の釣り用リールの単独でも、又はいかなるようにも組み合わせても、決して予期されず、明らかにされたこともなく、提案されたこともなく、ほのめかしたことすらない釣り用リールを生ずるための多くの新規な要旨を有する新たな釣り用リールを提供する。
【０００７】
一層詳細に説明すれば、本発明の目的はスプールをハウジングに容易に確実に組み立てることができ、組み立てた後は、スプールがハウジングから不随意に分離しない釣り用リールを得るにある。
【０００８】
本発明の他の目的はハウジングに対し、相対的に主軸を動かすことなく、スプールの一方向の回転を制動することができ、それにより、スプールと、ハウジングとが相互に予期せず分離する可能性を著しく減少させた釣り用リールを得るにある。
【０００９】
上述の目的を達成するため、本発明釣り用リールは中心に配置されたボスを有するハウジングと、一体に固着された一方クラッチを含んでいる巻取りドラムを中心に配置して有するスプールと、前記ボスに固着された主軸と、前記主軸の中心部を包囲し、この主軸の中心部に接触しているスリーブと、前記スプールを前記ハウジングに組み立てた時、前記スリーブが前記一方クラッチ内に嵌着され、前記スリーブがこの一方クラッチによって一方向にのみ回転できるよう前記スプールを前記ハウジングに組み立てるための第１手段と、前記主軸と前記スリーブとの間の摩擦力が最大である時、前記スプールは前記ハウジングに対し相対的に一方向のみに回転することができ、前記摩擦力が減少すると、前記スプールは一層自由にいずれの方向にも回転することができるように前記摩擦力を調整する第２手段とを具え、
前記ボスはその中心に貫通して形成されたボス貫通孔を有し、前記主軸は更にこの主軸の外側円筒面に、この主軸の後端から前方に形成されたねじを有し、前記主軸を前記ボス貫通孔に挿入し、前記ねじの周りに嵌着されて前記ボスの後面に固着されたナットによって、前記ボス貫通孔に挿入された前記主軸を固着保持し、
前記第２手段は調整ノブと、複数個のプランジャとを具え、前記主軸は更に前記ネックの後方の中心部に肩部を具え、前記スリーブをこの肩部と、前記ボスの前面との間に配置し、前記ナットの後方の前記ねじの後部にこのねじの周りに前記調整ノブを嵌着し、前記ボスに貫通した前記プランジャを複数個のプランジャばねの押圧力によって後方に押圧するよう構成し、前記調整ノブを前記ねじに沿って第１回転方向に回転した時、前記スリーブと、前記肩部との間の摩擦力を増大するよう前記調整ノブは前記プランジャによって前記スリーブを押圧し、前記調整ノブを前記ねじに沿って第２回転方向に回転した時、前記摩擦力を減少させるよう前記プランジャばねによって前記プランジャを戻すように押圧するよう構成したことを特徴とする。
【００１０】
第１手段は組立ピンと、回転させる押圧力をこの組立ピンに加える組立ピンばねと、主軸の前端付近に形成された掛合溝とを具えるのが好適である。組立ピンが掛合溝に掛合している時は、スプールはハウジングに組み立てられており、ピンを掛合溝から離脱させた時、スプールをハウジングから分離できるようにする。
【００１１】
主軸はその前端に配置されたヘッドと、このヘッドの後方に掛合溝を形成しているネックとを有し、組立ピンはカムの形状の心部と、この心部から外方に延びるレバーと、このレバーの中心部の一側に形成されたフックとを有し、スプールをハウジングに組み立てた時、主軸のヘッド、及びネックはスプールの巻取りドラムを完全に通過しており、レバーを第１回動方向に回動した時、フックがネックから離脱し、レバーを釈放した時、第１回動方向の反対方向である第２回動方向に組立ピンばねがこのレバーを回動させて、フックをネックに掛合させるよう構成する。
【００１２】
フックはレバーから突出する２個の指片と、これ等指片の間の半円形円周部とを具え、この２個の指片と、半円形円周部とがネックの少なくとも半分を包囲して、フックがネックから離脱するのを防止するよう構成するのが一層好適である。
【００１３】
添付図面を参照して、本発明の好適な実施例を詳細に説明し、本発明の上述の目的、その他の要旨、及び利点を一層明らかにする。
【００１４】
発明実施の最良の形態
以後、図面を参照して、本発明の一実施例による釣り用リール１０を詳細に説明する。
【００１５】
図１は本発明の一実施例による釣り用リール１０の分解断面図である。図面に示すように、この釣り用リール１０はハウジング１００と、スプール２００とを有する。ハウジング１００はスプール２００を一部包囲し、このスプール２００を回転自在に支持する。
【００１６】
ハウジング１００はボス１３０と、ハウジングディスク１０１と、主軸１１０とを有する。ボス１３０はハウジング１００の中心に配置されている。ハウジングディスク１０１はボス１３０を包囲し、ボス１３０に一体に取り付けられている。主軸１１０はボス１３０に貫通されていて、ボス１３０に固着されている。
【００１７】
スプール２００は巻取りドラム２１０と、１対のスプールディスク２０１とを有する。巻取りドラム２１０はスプール２００の中心に配置されており、２個のスプールディスク２０１はそれぞれ巻取りドラム２１０の両側に一体に取り付けられている。巻取りノブ２０２と、釣合い錘２０４とは互いに直径的に対向して、２個のスプールディスク２０１のうちの１個のスプールディスクの外側の表面に固着されている。
【００１８】
図２はハウジング１００の一部の拡大図である。次の説明では、前側とは図面の左側を意味し、後側とは図面の右側を意味するものとして、方向を示す。図面に示すように、ボス１３０はその中心に貫通して形成されたボス貫通孔１３０ａを有する。主軸１１０をこのボス貫通孔１３０ａに挿入し、主軸１１０の後部がこのボス貫通孔１３０ａ内に位置しているようにする。
【００１９】
ボス１３０の前面の周縁部に環状牽引板１３１を固着する。この牽引板１３１にはその前面に、環状に配列して形成された複数個の第２窪み１３２を設ける。ハウジング１００と、スプール２００とを相互に組み立てた時、スプール２００の第２止めピン２１２は第２窪み１３２に掛合する。
【００２０】
ボス１３０は第１凹所１３９と、２個の第１止めピン孔１３６とを有する。ボス１３０の後面の中心に第１凹所１３９を形成し、ボス１３０の後面に第１凹所１３９の外側に２個の第１止めピン孔１３６を直径的に対向して形成する。各第１止めピン孔１３６に、第１止めピンばね１３８と、第１止めピン１３７とを収容し、この第１止めピン１３７を第１止めピンばね１３８の押圧力によって後方に押圧する。更にボス１３０には第１凹所１３９の底部からボス１３０に貫通する３個のプランジャ貫通孔１３３を設ける。プランジャばね１３５によって、後方に押圧されるプランジャ１３４を各プランジャ貫通孔１３３に収容する。
【００２１】
一方、主軸１１０はヘッド１１１、ネック１１２、肩部１１３、及びねじ１１９を有する。ヘッド１１１は主軸１１０の前端に形成されている。ヘッド１１１の直径より一層小さい直径のネック１１２はヘッド１１１の背後に一体に連結されており、ヘッド１１１の後部に掛合溝１１４を形成している。肩部１１３の直径は主軸１１０の残りの部分の直径より一層大きい。また、肩部１１３は主軸１１０のネック１１２の後部の所定位置に形成されている。ねじ１１９は主軸１１０の後端から前方に、主軸１１０の外円筒面に形成されている。ボス１３０のボス貫通孔１３０ａに主軸１１０を挿入し、ナット１５１によって保持固着する。ねじ１１９の前端において、ボス１３０の後面に密着するように、ナット１５１をねじ１１９の周りに嵌着する。
【００２２】
主軸１１０の肩部１１３と、ボス１３０の前面との間に、スリーブ１２０を嵌着する。スリーブ１２０は円筒管１２１と、フランジ１２２とを有する。フランジ１２２は円筒管１２１の後端に一体に連結されており、円筒管の後端から半径方向外方に突出している。主軸１１０の中心部をスリーブ１２０の円筒管２１内に嵌着し、肩部１１３と、ボス１３０とによって、スリーブ１２０が前方、及び後方に移動するのを防止する。主軸１１０の肩部１１３と、円筒管１２１の前端との間に第１座金１２３を介挿し、肩部１１３と、円筒管１２１の前端との間の摩擦力を増大する。一方、主軸１１０をそれぞれ包囲している環状ディスク板１２４と、第２座金１２５とをフランジ１２２と、ボス１３０の前面との間に介挿し、フランジ１２２と、ボス１３０の前面との間の摩擦力を増大し、これにより、ボス１３０と、プランジャ１３４とがフランジ１２２上で滑るのを防止する。
【００２３】
ナット１５１の後方に、ねじ１１９の後部に、ねじ１１９の周りに調整ノブ１４０を嵌着する。調整ノブ１４０の後面の中心に第２凹所１４８を形成する。第２凹所１４８の底部中心に、調整ノブ１４０にノブ貫通孔１４９を貫通する。ノブ貫通孔１４９の円筒内面にめねじを形成し、このめねじに主軸１１０のねじ１１９を螺着し、調整ノブ１４０を回転することによって、主軸１１０のねじ１１９に沿って、調整ノブ１４０を前方、及び後方に動かし得るようにする。
【００２４】
調整ノブ１４０の前面に環状に配列して、複数個の第１窪み１４４を形成する。ボス１３０の第１止めピン１３７は第１窪み１４４に掛合する。ボス１３０のプランジャ貫通孔１３３に挿入されたプランジャ１３４と、調整ノブ１４０の内面との間に、一連の第３座金１４１、波形座金１４３、及び第４座金１４２を配置する。調整ノブ１４０を締め上げると、波形座金１４３はハウジング１００の軸線方向に弾性的に変形し、調整ノブ１４０と、プランジャ１３４との間に軸線方向に伝導する力を増大する。
【００２５】
調整ノブ１４０の第２凹所１４８には、主軸１１０のねじ１１９の後端の周りに嵌着した止め座金１５２を収容する。この止め座金１５２をその位置にリテーナ１５３によって固着保持し、調整ノブ１４０の軸線方向の運動を限定する。
【００２６】
図３はスプール２００の一部の拡大図である。次の説明でも、方向に関しては、図２の説明と同一に示す。即ち、前側とは図面の左側を意味し、後側とは図面の右側を意味する。
【００２７】
図面に示すように、スプール２００の巻取りドラム２１０には一方クラッチ２２０を収容する。この一方クラッチ２２０はクラッチナット２２１によって、巻取りドラム２１０の内側円筒面に一体に固着されている。ハウジング１００と、スプール２００とを相互に組み立てた時、ハウジング１００のスリーブ１２０は一方クラッチ２２０に密着して、この一方クラッチ２２０内に収容され、一方クラッチ２２０によってスリーブ１２０を相対的に回転せしめ、又は一方向のみに摺動させる。
【００２８】
巻取りドラム２１０の後面に第２止めピン孔２１１を形成する。各第２止めピン孔２１１には第２止めピンばね２１３と、第２止めピン２１２とを収容し、第２止めピンばね２１３の押圧力によって、第２止めピン２１２を後方に押圧する。固着ねじ２３９によって、キャップ２３０を巻取りドラム２１０の前面に組み付ける。図４、及び図５に示すように、キャップ２３０によって組立ピン２４０を覆う。
【００２９】
図４はキャップ２３０と、このキャップ２３０内に配置される組立ピン２４０と、組立ピンばね２４８との分解斜視図である。図面に示すように、キャップ２３０はドーム状の天井２３１と、この天井２３１の周縁に一体に連結された円筒側壁２３２とを有する。円筒側壁２３２の一部を切除して、ゲート２３３を形成する。
【００３０】
組立ピン２４０はカム状の心部２４１と、この心部２４１から外方に突出するレバー２４２と、このレバー２４２の中央部の一側に形成されたフック２４３とを有する。フック２４３はレバー２４２から突出する２個の指片２４３ａと、これ等指片２４３ａ間の半円形円周部２４３ｂとを有し、２個の指片２４３ａと、半円形円周部２４３ｂとによって、円筒体の一部を十分に包囲し、円筒体がフック２４３から外れるのを十分に防止する。心部２４１の中心に枢着孔２４４を形成する。
【００３１】
図５はキャップ２３０内の巻取りドラム２１０の前面に、組立ピン２４０を設置する状態を示すための部分拡大断面図である。図面に示すように、巻取りドラム２１０の前面に枢着ピン２４５を設け、巻取りドラム２１０の前面に、枢着ピン２４５の周りに回動し得るよう組立ピン２４０を設置する。キャップ２３０の円筒側壁２３２と、心部２４１との間に保持された組立ピンばね２４８の押圧力によって、組立ピン２４０を押圧する。キャップ２３０のゲート２３３を通して、組立ピン２４０のレバー２４２をキャップ２３０の外に突出させる。レバー２４２を作動させた時、組立ピン２４０を枢着ピン２４５の周りに回動し、フック２４３を主軸１１０のネック１１２に掛合させ、又はネック１１２から離脱させる。
【００３２】
本発明の一実施例による上述の釣り用リール１０の作動を以下に詳細に説明する。
【００３３】
まず、図１に示すようにそれぞれ組み立てたハウジング１００とスプール２００とを互いに組み合わせた時、ハウジング１００の主軸１１０はスプール２００の巻取りドラム２１０内に挿入され、組立ピン２４０のレバー２４２は図５で見て反時計方向に回動した状態になる。
【００３４】
主軸１１０のヘッド１１１と、ネック１１２とがスプール２００の巻取りドラム２１０を完全に通過した後に、キャップ２３０内に設置された時、レバー２４２は釈放されている。従って、組立ピンばね２４８によって、レバー２４２は図５で見て時計方向に回動し、組立ピン２４０のフック２４３を主軸１１０の掛合溝１１４内に挿入し、ネック１１２に掛合させる。この場合、フック２４３はネック１１２の円筒壁の少なくとも半分を包囲しているから、フック２４３と、主軸１１０のヘッド１１１との間の掛合は非常に堅固であり、従って、組立ピン２４０を反時計方向に回動しない限り、ハウジング１００と、スプール２００とは互いに分離することはない。２個の指片２４３ａの間に、半円形円周部２４３ｂを有するフック２４３の構造は、組立ピン２４０のフック２４３が主軸１１０のネック１１２から離脱するのを完全に防止している。
【００３５】
一方、組み立てられたハウジング１００と、スプール２００とを互いに分離する時は、使用者は組立ピン２４０のレバー２４２を図５で見て反時計方向に回動し、組立ピン２４０のフック２４３と、主軸１１０のネック１１２との間の掛合を釈放し、次に、使用者は巻取りドラム２１０の外に、ハウジング１００の主軸１１０を引き出す。
【００３６】
一方、ハウジング１００とスプール２００とを互いに組み立てた状態で、巻取りノブ２０２を保持して、スプール２００を回転することにより、釣糸を巻取りドラム２１０の周りに巻き付け、又は釣糸を巻取りドラム２１０から巻きほぐすことができる。
【００３７】
この状態で、調整ノブ１４０をそのねじが締め付けられる方向に回転すると、調整ノブ１４０は主軸１１０のねじ１１９に沿って、前進し、即ち図２で見て左に動き、第４座金１４２、波形座金１４３、及び第３座金１４１によて、プランジャ１３４を前方に押圧する。次に、プランジャ１３４は第２座金１２５と、ディスク板１２４とによって、スリーブ１２０を前方に押圧する。従って、スリーブ１２０は第１座金１２３を圧縮して、主軸１１０の肩部１１３に強力な圧力を作用させる。この場合、ナット１５１が主軸１１０の前方への運動を阻止しているから、第１座金１２３を介して、肩部１１３と、スリーブ１２０との間に強い摩擦力を発生する。
【００３８】
調整ノブ１４０を完全に締め付けた時、主軸１１０と、スリーブ１２０とは相互に相対回転を行うことはできないが、一体の組立体として、回転することができる。この場合、上述したように、スリーブ１２０は一方向クラッチ２２０に対し、相対的に一方向にのみ回転することができるから、一方クラッチ２２０に対し固着するように、それを包囲する巻取りドラム２１０はハウジング１００に固着された主軸１１０に緊締されたスリーブ１２０に対し、相対的に一方向のみに回転することができる。従って、スプール２００はハウジング１００に対し、相対的に回転できるのは一方向のみに過ぎず、釣糸がスプール２００から巻きほぐされるのを防止している。
【００３９】
一方、調整ノブ１４０をそのねじを緩める方向に回転すると、調整ノブ１４０は主軸１１０のねじ１１９に沿って後退し、即ち図２で見て右の方に動き、プランジャ１３４はプランジャばね１３５の押圧力によって、後方に復帰する。プランジャ１３４の後退はスリーブ１２０を前方に押圧する力を減少させるから、スリーブ１２０と、肩部１１３との間の第１座金１２３を介する摩擦力を減少させる。従って、スリーブ１２０は主軸１１０の周りに摺動することができ、主軸１１０に対しいずれの方向にも自由に回転することができる。言い換えれば、スプール２００はハウジング１００に対し、相対的にいずれの方向にも自由に回転することができ、釣糸を自由にスプール２００の周りに巻き付け、又は巻きほぐすことができる。
【００４０】
調整ノブ１４０を一層堅く締め付ければ締め付ける程、第１座金１２３を介するスリーブ１２０と、肩部１１３との間の摩擦力は一層強くなるから、スプール２００が回転するのを阻止する力は強化される。調整ノブ１４０を完全に締め付けた時、上述したように、釣糸がスプール２００から巻きほぐされるのを防止する。
【００４１】
これに反し、調整ノブ１４０を一層、緩めて釈放すると、第１座金１２３を介するスリーブ１２０と、肩部１１３との間の摩擦力は一層弱くなり、スプール２００が回転するのを阻止する力が弱くなる。
【００４２】
一方、主軸１１０はハウジング１００に対し相対的に前方、又は後方に動かず、たとえ、調整ノブ１４０を締め付けたり、又は緩めるように回転させたとしても、主軸１１０はナット１５１によってハウジング１００に堅く固着されている。従って、組立ピン２４０のフック２４３が主軸１１０のネック１１２から不随意に釈放され、スプール２００が不随意にハウジング１００から分離する危険の可能性は著しく減少する。
【００４３】
更に、調整ノブ１４０を締め付け、又は緩めるように回転させた時、第１止めピン１３７は環状に配置された第１窪み１４４に沿って、カチカチと言う快い音を発生しながら移動するので、この音により使用者は快さと、くつろいだ感じを受ける。同様に、スプール２００を回転した時、第２止めピン２１２は第２窪み１３２に沿って移動し、カチカチと言う快い音を発生する。
【００４４】
本発明の釣り用リール１０においては、上述したように調整ノブ１４０を締め付けた時、又は緩めた時でも、主軸１１０はボス１３０に対して回転しない。しかし、ハウジング１００に対して相対的なスプール２００の一方向のみの回転は主軸１１０と、スリーブ１２０との間の摩擦力の増大によって達成することができ、この摩擦力の増大はハウジング１００のボス１３０に貫通するプランジャ１３４によって、スリーブ１２０を押圧することにより、行うことができる。
【００４５】
従って、本発明はスプールをハウジングに、容易に、確実に組み立てることができ、組み立てた後は、スプールが不随意にハウジングから分離することがない釣り用リールを提供する。
【００４６】
更に、本発明はハウジングに対し、相対的に主軸を動かすことなく、スプールの一方向の回転を制動し、これによりスプールと、ハウジングとが予期せず分離する可能性を著しく減少させた釣り用リールを提供する。
【００４７】
本発明をその特定の実施例につき図示し、説明したが、本発明は特許請求の範囲に明確にした範囲を逸脱することなく種々の変更を加えることができることは明らかである。
【図面の簡単な説明】
【図１】  本発明の一実施例による釣り用リールの分解断面図である。
【図２】  図１に示す釣り用リールに採用するハウジングの一部の拡大図である。
【図３】  図１に示す釣り用リールに採用するスプールの一部の拡大図である。
【図４】  図１に示す釣り用リールに採用するキャップ、組立ピン、及び組立ピンばねを含む数個の部片の分解斜視図である。
【図５】  図４に示す巻取りドラムの前面に組立ピンを設置した状態を示す部分拡大断面図である。
【図１】
0003646151.tif 000002
【図２】
0003646151.tif 000003
【図３】
0003646151.tif 000004
【図４】
0003646151.tif 000005
【図５】
0003646151.tif 000006